(57)【要約】【課題】  モップの取り付けが容易でしかも使い勝手のよいモップ保持具を提供する。【解決手段】  柄を連結するための連結部３０が形成されると共に、一方の端部から突出入自在なスライド片５０を有する第１のモップ保持板２０と、第２のモップ保持板４０とが、第１のモップ保持板２０の一方の端部において一方向側のみに屈曲可能に軸支され、スライド片５０は、第２のモップ保持板４０の方向に付勢力を与える付勢部材Ｂにより付勢されていると共に、第１のモップ保持板２０と第２のモップ保持板４０が直線配置になった状態を維持するために第２のモップ保持板４０の接続側端部を係止していることを特徴とする。【選択図】        図５
2007190130.tif 000002
【特許請求の範囲】
【請求項１】
柄を連結するための連結部が形成されると共に、一方の端部から突出入自在なスライド片を有する第１のモップ保持板と、第２のモップ保持板とが、前記第１のモップ保持板の一方の端部において一方向側のみに屈曲可能に軸支され、
前記スライド片は、前記第２のモップ保持板の方向に付勢力を与える付勢部材により付勢されていると共に、前記第１のモップ保持板と前記第２のモップ保持板が直線配置になった状態を維持するために前記第２のモップ保持板の接続側端部を係止していることを特徴とするモップ保持具。
【請求項２】
前記スライド片には、スライド片を移動させるためのスライド用フックが形成されていることを特徴とする請求項１記載のモップ保持具。
【請求項３】
前記連結部は、中空構造であると共に前記第１のモップ保持板の一方の端部側に形成されていて、前記付勢部材は、前記連結部の内部空間に配設されていることを特徴とする請求項１または２記載のモップ保持具。
【請求項４】
前記第１のモップ保持板および前記第２のモップ保持板における他方の端部位置は、前記第１のモップ保持板および前記第２のモップ保持板の接続側端部位置に比べ、モップ側に接近していることを特徴とする請求項１〜３のうちのいずれか一項記載のモップ保持具。
【請求項５】
記連結部にはリブが形成されていて、該リブは下端面位置が前記スライド片の上端面位置となるように配設されていることを特徴とする請求項１〜４のうちのいずれか一項記載のモップ保持具。
【発明の詳細な説明】
【技術分野】
【０００１】
本発明は、モップ保持具に関し、より詳細には、モップの交換が容易であると共に、使い勝手の良いモップ保持具に関する。
【背景技術】
【０００２】
オフィスや家庭における床面の清掃には、モップが広く用いられている。モップには、水やワックスを直接浸み込ませた後、搾り器で絞って使用するタイプのものと、予めモップに薬品が浸漬されているものがある。後者のモップは使用するたびに薬品が床面に移るため、定期的にモップを交換しなければならない。
このように、予め薬品が浸漬されているモップを交換する際にモップに直接手を触れると、手に薬品が移ってしまい不快な思いをすることが多い。そこで、モップを交換する際には直接モップに触れることなく、単純な作業で交換することが強く望まれている。このような要望を満たすものとして、例えば特許文献１に記載されているようなモップ式雑巾が提供されている。
【特許文献１】登録実用新案公報第３００８００６号公報
【発明の開示】
【発明が解決しようとする課題】
【０００３】
特許文献１記載のモップ式雑巾によれば、保持板に曲折部が設けられていて、曲折部が凹凸嵌合により係止可能に形成されているので、モップに直接手を触れずにモップの交換を容易に行うことができ好適に用いられている。交換式のモップは、予め薬品がモップに浸漬されていて、ゴミや埃をモップに吸着可能になっているものの、モップに付着したゴミや埃をそのままにしておくと次の床面の清掃に支障がある。そこで、床面の清掃が完了する度にゴミや埃の振り落とし作業が一般に行われている。
このようなゴミや埃の振り落とし作業を行う際には、モップが激しく振られるため、保持板の曲折部が単なる凹凸嵌合により係止されているだけでは、係止状態が解けてしまい、モップが保持板から外れてしまうことが多いといった課題がある。
また、保持板が単純な板体に形成されているため、保持板の端部においては、モップを適切な力で床面に押圧することができないため、ふき取りムラが生じてしまい、床面を確実に清掃することができないといった課題もある。
【０００４】
本発明は上記課題を解決すべくなされたものであり、その目的とするところは、モップの交換時にモップに直接手を触れることなく、しかも容易に交換を行うことができると共に、モップの全面を確実に床面に押圧することが可能なモップ保持具を提供することにある。
【課題を解決するための手段】
【０００５】
以上の目的を実現するため、本発明にかかるモップ保持具は以下の構成を有する。
すなわち、柄を連結するための連結部が形成されると共に、一方の端部から突出入自在なスライド片を有する第１のモップ保持板と、第２のモップ保持板とが、前記第１のモップ保持板の一方の端部において一方向側のみに屈曲可能に軸支され、前記スライド片は、前記第２のモップ保持板の方向に付勢力を与える付勢部材により付勢されていると共に、前記第１のモップ保持板と前記第２のモップ保持板が直線配置になった状態を維持するために前記第２のモップ保持板の接続側端部を係止していることを特徴とするモップ保持具である。
【０００６】
また、前記スライド片には、スライド片を移動させるためのスライド用フックが形成されていることを特徴とする。
これにより、スライド片を容易に移動させることができる。
【０００７】
また、前記連結部は、中空構造であると共に前記第１のモップ保持板の一方の端部側に形成されていて、前記付勢部材は、前記連結部の内部空間に配設されていることを特徴とする。
このように、連結部を中空構造としたことにより、金型からモップ保持具を取り出した後に生じる「ひけ」の発生を抑えることができるので、製品の歩留まりが向上する。また、連結部の中空部分に付勢部材を収納することができるので、モップ保持具をコンパクトにすることができる。
【０００８】
また、前記第１のモップ保持板および前記第２のモップ保持板における他方の端部位置は、前記第１のモップ保持板および前記第２のモップ保持板の接続側端部位置に比べ、モップ側に接近していることを特徴とする。
これにより、モップの全面を床面に対して均等に押圧させやすくなり、床面のふき取りムラが生じにくくなる。
【０００９】
また、前記連結部にはリブが形成されていて、該リブは下端面位置が前記スライド片の上端面位置となるように配設されていることを特徴とする。
これにより、モップからゴミや埃を振り落とす際に作用する第１のモップ保持板および第２のモップ保持板の係止状態を解除するスライド片の変位を抑制し、モップ保持板からのモップの脱落を防止することができる。
【発明の効果】
【００１０】
本発明によれば、スライド片をスライドさせることにより、第１のモップ保持板と第２のモップ保持板を屈曲させることができるで、モップに直接触れることなくモップを交換することができる。また、スライド片が第１のモップ保持板に対して第２のモップ保持板を一方側方向のみに回動可能に係止するストッパとして作用するため、床面清掃後のゴミや埃を振り落とす際にも、保持具からのモップの脱落を防止することができる。
【発明を実施するための最良の形態】
【００１１】
まず、本発明にかかるモップ保持具について添付図面に基づいて説明する。図１は、本実施の形態に係るモップ保持具の一部を示した正面図である。図２は、本実施の形態に係るモップ保持具の平面図である。図３は、本実施の形態におけるモップ保持具の側面図である。図４は、スライド片の斜視図である。図５は、図２中のＡ−Ａ線における断面図である。図６は、第１のモップ保持板に対して第２のモップ保持板を屈曲させた状態を示す説明図である。
【００１２】
本実施の形態におけるモップ保持具１０は、第１のモップ保持板２０と、第１のモップ保持板２０に形成された連結部３０と、第１のモップ保持板２０に回動可能に接続された第２のモップ保持板４０により構成されている。連結部３０は、第１のモップ保持板２０の接続側端部２０ａに配設されていて、中空構造に形成されている。
また、図２から明らかなように、第１のモップ保持板２０および第２のモップ保持板４０の接続側端部の平面形状はそれぞれ凹状形および凸状形に形成されている。第１のモップ保持板２０および第２のモップ保持板４０の接続端部２０ａ，４０ａは、凹状形部分に凸状形部分が入り込んだ状態で回転軸Ｊにより一方向側のみに回動（屈曲）可能に接続されている。
【００１３】
回転軸Ｊは、第１のモップ保持板２０および第２のモップ保持板４０の板厚内において、板厚の中心部分よりも下側部分において第１のモップ保持板２０および第２のモップ保持板４０の接続端部２０ａ，４０ａを横断するようにして挿通されている。これにより、第１のモップ保持板２０に対する第２のモップ保持板４０の回動方向が一方向（第１のモップ保持板２０と第２のモップ保持板４０が一直線状になった状態を基準にして、モップ保持具１０の下面側となる方向）側に限定される。
【００１４】
図３に示すように、本実施の形態における柄取付具６０は、連結部３０と連結させる側の端部が二股形状に形成されていて、連結部３０を二股部分に進入させた状態で軸着されている。したがって、柄取付具６０は連結部３０に対して図１に示す矢印方向に回動可能に連結されている。柄取付具６０には図示しない柄が公知の方法により取り付けられる。
【００１５】
スライド片５０は図４に示すように、断面形状がコの字状をなす本体部５２の両端立設部５２ａには、両端立設部５２ａの内側面に、互いに対向して突出するガイド爪５４が形成されている。また、本体部５２の中間部分には付勢部材保持部５８が立設されている。付勢部材保持部５８は、付勢部材であるバネの中心軸に挿通させる挿通体５６とベース部５７により構成されている。ベース部５７は挿通体５６と反対側の端部が先細に形成された先細部５７ａを有している。先細部５７ａの上面は先端方向に進むとともに先細になるスロープ面状に形成されている。挿通体５６に挿通させるバネの長さは、本体部５２の長さ寸法Ｗよりも長い寸法のものが用いられる。
本体部５２の両端立設部５２ａの外表面には、微小凹凸部５３からなる滑り止め加工がなされている。両端立設部５２ａは、付勢部材により第２のモップ保持板４０側に付勢されたスライド片５０を、第１のモップ保持板２０側にスライドさせる際のスライド用フックとして用いられる。
【００１６】
スライド片５０は、図３に示すように第１のモップ保持板２０の下面側を本体部５２の開口部分で覆うようにして取り付けられている。第１のモップ保持板２０の両側面には、ガイド溝２２が形成されているので、スライド片５０のガイド爪５４がガイド溝２２の外側からガイド溝２２に進入することで、スライド片５０は、第１のモップ保持板２０に対して、スライド可能に係止された状態になる。なお、第１のモップ保持板２０の下面には、スライド片５０の付勢部材保持部５８および付勢部材（バネＢ）を進入させるための進入用溝（図示せず）が形成されている。
【００１７】
連結部３０の一方（第２のモップ保持板側）の側面には第２のモップ保持板４０方向に突出するリブ３２が形成されている。連結部３０のリブ３２の下側部分には、連結部３０の内部空間と外部とを連通する連通孔３４が形成されている。
また、連結部３０は、中空構造に形成されているため、スライド片５０の付勢部材保持部５８および付勢部材（バネＢ）は、第１のモップ保持板２０の進入溝から第１のモップ保持板２０に進入した後、連結部３０の内部に入り込むようになっている。連結部３０の内部空間には、図５に示すように、挿通体５６に装着された付勢部材であるバネＢの付勢力を得るための反力壁３６が形成されている。
【００１８】
スライド片５０の付勢部材保持部５８は第１のモップ保持板２０と連結部３０の内部空間に、バネＢの付勢力が得られる状態で配設されている。図５に示すように、スライド片５０が第１のモップ保持板２０および連結部３０にセットされた状態においては、付勢部材保持部５８のベース部５７に形成された先細部５７ａが連結部３０に形成されている連通孔３４から連結部３０の外部に突出した状態になっており、この状態が基本状態となる。この基本状態においては、第１のモップ保持板２０と第２のモップ保持板４０とが直線状配置となっている。そして、第１のモップ保持板２０の接続側端部から突出している先細部５７ａが、第１のモップ保持板２０と第２のモップ保持板４０とが直線状配置を維持するように第２のモップ保持板４０を係止するストッパとして作用している。
【００１９】
また、スライド片５０は、第１のモップ保持板２０に設けられたガイド溝２２に沿って、第２のモップ保持板４０と接離動する方向に往復動可能になっている。スライド片５０を手に取り、バネの付勢力（反発力）に抗して第２のモップ保持板４０から離れる方向にスライドさせると、モップ保持具１０は図６のように回転軸Ｊを中心として第１のモップ保持板２０と第２のモップ保持板４０が屈曲した状態になる。この状態においては、バネＢおよび反力壁３６により第２のモップ保持板４０側に戻る方向に作用する付勢力が作用しているため、スライド片５０から手を離すとスライド片５０は自動的に基本状態に戻るのである。このようなスライド片５０の動作に伴い、先細部５７ａは連結部３０の連通孔３４から突出入するようになっている。
【００２０】
連結部３０には連通孔３４の上に第２のモップ保持板４０側に突出するリブ３２が形成されている。リブ３２は、本発明に係るモップ保持具１０にモップを装着した際、連通孔３４から連結部３０の外部に突出している先細部５７ａが、モップの重さにより変形することや変位することにより、第２のモップ保持板４０が不意に回動してしまうことをを効果的に防止することができる。
なお、連結部３０の外表面からのリブ３２の突出量は、連通孔３２から突出する先細部５７ａの長さの半分以上であることが好ましいが、第２のモップ保持板４０の接続側端部位置と同じ位置、または、接続側端部位置を越えた位置まで突出していればさらに好適である。この場合、リブ３２の突出により、第２のモップ保持板４０の回動動作に支障を来たさない形態にすることは云うまでもない。
【００２１】
次に、以上に説明したモップ保持具１０へのモップ装着手順を説明する。本実施の形態に係るモップ保持具１０には、図７に示すようなモップ１００が取り付けられる。モップ１００には上面にポケット１１０が２つ形成されている。ユーザーは、モップ保持具１０のスライド用フック（スライド片５０の本体部５２の両端立設部５２ａ）をバネＢの付勢力（反発力）に抗して第１のモップ保持板２０側にスライドさせ、スライド片５０の先細部５７ａを連結部３０の内部に収める。すると、第２のモップ保持板４０と第１のモップ保持板２０の係止状態が解除され、図８に示すように第１のモップ保持板２０に対して第２のモップ保持板４０を屈曲した状態になる。ユーザーがスライド用フック（スライド片５０の本体部５２の両端立設部５２ａ）から手を離すと、付勢部材であるバネＢの付勢力により、先細部５７ａは連結部３０の連通孔３４から突出した状態に戻る。この状態でユーザーは第１のモップ保持板２０および第２のモップ保持板４０の先端部をそれぞれポケット１１０に差し込ませる。
【００２２】
第１のモップ保持板２０および第２のモップ保持板４０の先端部がモップ１００のポケット１１０に差し込まれた後、ユーザーは柄取付具６０をモップ１００側に押し付けると、第２のモップ保持板４０の下面が先細部５７ａの上面のスロープ面の上をスライドさせて、再び連結部３０の内部空間に収めながら第１のモップ保持板２０と第２のモップ保持板４０が一直線状になる。この状態においては、スライド片５０の先細部５７ａが再びバネＢの付勢力により連結部３０の連通孔３４から連結部３０の外部に突出するとともに、第２のモップ保持板４０の接続側端部を係止した状態になる。
【００２３】
このようにして、モップ保持具１０にモップ１００が取り付けされる。以上の説明から明らかなように、ユーザーは非常に簡単な操作でモップ保持具１０にモップ１００を装着することができる。また、モップ１００に直接手を触れることなくモップ１００の装着ができるため手を汚すことがない。さらには、清掃後においてモップ１００に付着した埃等を払う際には、モップ１００を振り払う動作を行うが、スライド片５０の先細部５７ａが第２のモップ保持板４０の回動防止用のストッパとして作用するため、モップ１００を激しく振り払ってもモップ保持具１０からモップ１００が外れてしまうことがないため誠に使い勝手が良好である。
【００２４】
以上に、実施の形態に基づいて本願発明に係るモップ保持具１０について詳細に説明してきたが、本発明は以上の実施形態に限定されるものではなく、発明の要旨を変更しない範囲において実施形態を改変することができるのはもちろんである。例えば、本実施の形態においては、第１のモップ保持板２０および第２のモップ保持板４０は図１に示すように一直線状に形成されているが、それぞれの保持板２０，４０は、図９に示すように、先端部の位置が接続側端部の位置に比べて、モップ側に徐々に近接する形状に形成した形態としても良い。これによれば、ユーザーが柄取付具６０をモップ１００側に押し付ける動作を行った際、モップ１００への押圧力が均等に作用するため、拭きムラの防止になるため好都合である。また、第１のモップ保持板２０および第２のモップ保持板４０を円弧状等の曲線状に形成しても同様の効果を得ることができる。
【００２５】
また、第１および第２のモップ保持板の接続側端部は、図１０に示すように、板厚方向に傾斜した端面に形成する形態としてもよい。これによれば、第２のモップ保持板４０が第１のモップ保持板２０に対して跳ね上げ方向（図１０中における矢印方向）に回動しようとした際に、第１および第２のモップ保持板２０，４０の接続側端部どうしの当接面積を増大させることができるので、第２のモップ保持板４０の跳ね上げ方向の回動をより強力に規制できる。したがって、第１のモップ保持板２０に対して第２のモップ保持板４０が不用意な方向に屈曲してしまうことを好適に防止できる。
【００２６】
さらには、連結部３０内の反力壁３６は図５に示した以外の形態も可能である。例えば、図１１に示すように、連結部３０の内周壁に沿ってバネＢが配設され、バネＢの端部が当接する当接部３６Ｚを形成する形態にすることもできる。図１１に示すような連結部３０の形態は、金型の製造も容易になり、金型に樹脂を充てんした後における連結部３０の冷却にも十分効果がある。このように、連結部３０の内部空間の形状を単純することができるため、モップ保持具１０の製造コストを大幅に削減することができるため好都合である。
【図面の簡単な説明】
【００２７】
【図１】本実施の形態に係るモップ保持具の一部を示した正面図である。
【図２】本実施の形態に係るモップ保持具の平面図である。
【図３】本実施の形態におけるモップ保持具の側面図である。
【図４】ストッパ部の斜視図である。
【図５】図２中のＡ−Ａ線における断面図である。
【図６】第１のモップ保持板に対して第２のモップ保持板を屈曲させた状態を示す説明図である。
【図７】モップの斜視図である。
【図８】モップにモップ保持具を装着している状態を示す説明図である。
【図９】モップ保持板の他の実施形態の一例を示す説明図である。
【図１０】保持板の接続側端部の形状を示す説明図である。
【図１１】連結部の他の実施形態の一例を示す説明図である
【符号の説明】
【００２８】
１０  モップ保持具
２０  第１のモップ保持板
２２  スライド溝
３０  連結部
３２  リブ
３４  連通孔
３６  反力壁
４０  第２のモップ保持板
５０  スライド片
５２  本体部
５４  ガイド爪
５６  挿通体
５７  ベース部
５７ａ  先細部
５８  付勢部材保持部
６０  柄取付具
１００  モップ
１１０  ポケット
Ｂ  バネ
【図１】
2007190130.tif 000003
【図２】
2007190130.tif 000004
【図３】
2007190130.tif 000005
【図４】
2007190130.tif 000006
【図５】
2007190130.tif 000007
【図６】
2007190130.tif 000008
【図７】
2007190130.tif 000009
【図８】
2007190130.tif 000010
【図９】
2007190130.tif 000011
【図１０】
2007190130.tif 000012
【図１１】
2007190130.tif 000013